(57)【特許請求の範囲】
【請求項１】
データ転送可能に接続されたメイン制御部とサブ制御部とを備え、常態においては前記メイン制御部から前記サブ制御部への一方向のみのデータ転送が行われ、前記サブ制御部が不正検出した場合には、不正検出信号のみを前記サブ制御部から前記メイン制御部に送られるように構成されたことを特徴とするパチンコ機。
【請求項２】
前記メイン制御部が、前記不正検出信号に応じて飾りランプ或いは飾りＬＥＤを点灯させることを特徴とする請求項１に記載のパチンコ機。
【発明の詳細な説明】
【０００１】
【発明の属する技術分野】
本発明は、サブ制御部で不正検出があった場合にはメイン制御部に不正信号のみを入力可能とするパチンコ機に関するものである。
【０００２】
【従来の技術】
従来の遊技機（例えば、パチンコ遊技機）においては、遊技に関する制御を主体的に行うメイン制御部と、メイン制御部の指令に従って従属的に遊技装置（例えば、球払出装置）等の制御を行うサブ制御部を備えたものが広く知られている。そして、遊技機においては制御信号等の送信はメイン制御部からサブ制御部への一方通行とされており、サブ制御部からメイン制御部への信号の入力を不可能にしていた。この構成により、サブ制御部側から行われる不正行為による被害を受け難くなるという効果を奏するものであった。
【０００３】
しかしながら、このような遊技機においては、単に不正行為の抑制ができるのであって、様々な不正行為に対応するためにサブ制御部で不正信号を受ける、あるいは不正信号を検出する構成にしたとしても、サブ制御部のみで対応処置を行わなければならず、メイン制御部に送信できないため対応能力に欠けるという問題があった。
【０００４】
【発明が解決しようとする課題】
本発明は、このような課題に鑑みてなされたものであり、本発明の目的は、不正行為を抑制しつつも、サブ制御部で不正検出があった場合にはメイン制御部に不正信号を入力可能とするパチンコ機を提供することにある。
【０００５】
【課題を解決するための手段】
請求項１に係るパチンコ機は、データ転送可能に接続されたメイン制御部とサブ制御部とを備え、常態においては前記メイン制御部から前記サブ制御部への一方向のみのデータ転送が行われ、前記サブ制御部が不正検出した場合には、不正検出信号のみを前記サブ制御部から前記メイン制御部に送られるように構成されたことを特徴とする。
【０００６】
請求項２に係るパチンコ機は、請求項１に記載のものにおいて、前記メイン制御部が、前記不正検出信号に応じて飾りランプ或いは飾りＬＥＤを点灯させることを特徴とするものである。
【０００７】
【発明の実施の形態】
以下、本発明の実施の形態を、図面を参照して説明する。図１は、実施形態のパチンコ機の正面図である。パチンコ機１は、パチンコ機本体２とパチンコ機本体２の左側に並設されているカードユニット３により構成されている。
【０００８】
パチンコ機本体２の外枠（図示されていない）にはヒンジ等により内枠４が図面の手前方向に開閉可能に設けられ、内枠４の内部には中央から上部に亘って遊技盤５が設けられている。内枠４には遊技盤５の周囲を囲むようにして金枠６が設けられ、金枠６にはガラス扉７が開閉自在に取り付けられている。金枠６の下方には、パチンコ球を整列待機させるための上受け皿８が設けられ、上受け皿８の下方には下受け皿９が設けられ、下受け皿９の右方には打球ハンドル１０が設けられ、上受け皿の内部にはスピーカ１１が配備されている。
【０００９】
また、内枠４の上縁には枠飾り部１２が設けられ、枠飾り部１２の内部には中央に左右２灯の枠飾りランプＡ１，Ａ１が配備され、左側に枠飾りランプＡ２及び枠飾りランプＡ３が配備され、右側に枠飾りランプＡ２及び枠飾りランプＡ３が配備されている。さらに、内枠４の右側縁の上部には、鍵飾り部１３が設けられ、鍵飾り部１３の内部には、上下２灯の鍵飾りランプＢ１，Ｂ１が配備されている。
【００１０】
図２は、パチンコ機１の遊技盤５面を示す正面図である。図２に示すように、遊技盤５面には、略中央に図柄表示ユニット１４が配備され、図柄表示ユニット１４の下部の左方と右方とにそれぞれ左ゲート１５，右ゲート１６が設けられ、図柄表示ユニット１４の下方にソレノイド等により拡開駆動されるチューリップー式の始動入賞口１７が設けられ、遊技盤５面の下部には、役物ユニット１８が配設されている。
【００１１】
さらに、遊技盤５面には、図柄表示ユニット１４の上部の左方と右方とにそれぞれランプ付き風車１９，１９が設けられ、役物ユニット１８の左側上方と右側上方との遊技盤５の袖部にそれぞれ普通入賞口２０，２１が設けられている。また、遊技盤５の上部左隅に払出表示部２２が設けられ、遊技盤５の上部右隅に球切れ表示部２３が設けられている。なお、遊技盤５には、アウト口２４、風車２５、内レール２６及び外レール２７等が配設されているが、これらの要素は従来と同様の周知のものである。
【００１２】
図３は遊技盤５面における各種ランプ及びＬＥＤの配置を示す図であり、図４は図柄表示ユニット１４の拡大正面図であり、図５は役物ユニット１８の拡大正面図である。図３に示すように、遊技盤５において、上部左隅の払出表示部２２の内部に払出ＬＥＤ（Ｐ１）が配備され、上部右隅の球切れ表示部２３の内部に球切れＬＥＤ（Ｐ２）が配備されている。また、外レール２７の外側上部に外レール２７に沿ってレール飾り部２８が設けられ、レール飾り部２８の内部に飾りＬＥＤ（Ｑ１）及び飾りＬＥＤ（Ｑ２）が交互に配置されている。
【００１３】
また、ランプ付き風車１９，１９の背後に、飾りランプＣ１，Ｃ１がそれぞれ設けられ、左ゲート１５及び右ゲート１６の背後に、飾りランプＤ１，Ｄ１がそれぞれ設けられ、普通入賞口２０，２１の背後に、飾りランプＥ１，Ｅ１がそれぞれ設けられ、始動入賞口１７を備えた電動チューリップ２９の背後に飾りランプＦ１が設けられている。
【００１４】
また、図２に示すように、図柄表示ユニット１４は、中央にカラー液晶表示装置により構成された特別図柄表示装置３０と、特別図柄表示装置３０を組み込んで支えるためのフレーム３１を備える。フレーム３１の上部にはアーチ状の張出部３２が設けられ、張出部３２の頂部と張出部３２の左右側部には、通過入口３３，３３，３３がそれぞれ設けられている。図４に示すように、張出部３２には、中央部にセグメント形式の表示器からなる普通図柄表示器３４が配設され、普通図柄表示器３４の左右側方に２個ずつ普通図柄用の記憶数表示ＬＥＤ３５，３５，３５，３５が配設されている。また、張出部３２の左右両側には、飾りＬＥＤ（Ｊ１，Ｊ１）が設けられている。
【００１５】
図４に示すように、フレーム３１の張出部３２の下部両側方には、左右側方に張り出す装飾部材３６，３６がそれぞれ設けられ、左右の装飾部材３６，３６の下側に装飾部材３７，３７がそれぞれ設けられ、さらにこれらの下側に装飾部材３８，３８がそれぞれ設けられ、張出部３２の下側となるフレーム３１の中央に凹部３９が設けられ、凹部３９には特別図柄表示装置３０が配設されている。
【００１６】
そして、左右の装飾部材３６，３６の背後には２個ずつ特別図柄用の記憶数表示ＬＥＤ４１，４１，４１，４１が配設され、装飾部材３７，３７の内部には、飾りＬＥＤ（Ｋ１，Ｋ１）が設けられ、装飾部材３８，３８の内部とこれらの上部となるフレーム３１の側壁内部に３個ずつ飾りＬＥＤ（Ｈ１，Ｈ２，Ｈ３）がそれぞれ設けられている。
【００１７】
さらに、フレーム３１の下部の左右側部には、球出口４０、４０がそれぞれ設けられ、フレーム３１の下部には球出口４０、４０に臨んで誘導部材４２，４２がそれぞれ設けられ、誘導部材４２，４２の間には、パチンコ球を下方に落下させるための切欠部４３が形成されている。
【００１８】
特別図柄表示装置３０の表示部４４は、上部の図柄表示部４５と下部の動画表示部４６に区分され、さらに図柄表示部４５は、左図柄表示部４７と、中図柄表示部４８と右図柄表示部４９との３つに区分される。
【００１９】
図５に示すように、役物ユニット１８には、中央に開閉扉５１により開成される大入賞口５０が設けられ、左右に普通入賞口５２，５２並びに装飾用の飾りＬＥＤ（Ｍ１〜Ｍ８），飾りＬＥＤ（Ｎ１〜Ｎ８）が集約して配備されている。大入賞口５０の内部の一部には、特別入賞領域である特定領域５３が設けられている。
【００２０】
なお、大入賞口５０は１５個払出し口に設定され、普通入賞口２１は８個払出し口に設定され、それ以外の始動入賞口１７、普通入賞口２０、普通入賞口５２，５２は、６個払出し口に設定されている。
【００２１】
以上、遊技盤５面に配設されている各要素について説明したが、図２の左ゲート１５並びに右ゲート１６は、図柄表示ユニット１４の普通図柄表示器３４における図柄変動開始のための始動口に設定されている。なお、普通図柄表示器３４に関わる当りの抽選確率は、５／１０に設定されている。
【００２２】
また、図２の始動入賞口１７は、図柄表示ユニット１４の特別図柄表示装置３０における左、中、右図柄に関する図柄変動開始のための始動口に設定されている。なお、特別図柄に関わる大当りの抽選確率は、通常確率１／３３７と高確率５／３３７との２種類に設定されている。
【００２３】
特別図柄表示装置３０における左図柄表示部４７及び右図柄表示部４９の各々に停止表示される図柄の種類は、いずれも「１」，「２」，「３」，「４」，「５」，「６」，「７」，「８」，「９」，「Ｘ」，「Ｙ」，「Ｚ」の１２種類である。また、中図柄表示部４８に停止表示される図柄の種類は、「１」，「２」，「３」，「４」，「５」，「６」，「７」，「８」，「９」，「Ｘ」，「Ｙ」，「Ｚ」，「Ｌ」の１３種類である。
【００２４】
図６は、図２に示す遊技盤５の裏面図である。遊技盤裏面５ａには、図１に示す通過入口３３，３３，３３に入ったパチンコ球を球出口４０ａ、４０ｂに誘導するための誘導路５４，５５が左右にそれぞれ設けられ、左ゲート１５に入ったパチンコ球を球出口４０ａに誘導するための誘導路５６が誘導路５４に連通して設けられ、右ゲート１６に入ったパチンコ球を球出口４０ｂに誘導するための誘導路５７が誘導路５５に連通して設けられている。
【００２５】
遊技盤裏面５ａの下部には、始動入賞口１７、普通入賞口２０、普通入賞口２１、普通入賞口５２，５２及び大入賞口５０を覆うようにして、各入賞口１７，２０，２１，５２，５２，５０に入賞したパチンコ球を集合するための集合樋５８が設けられ、集合したパチンコ球を１列に整列させるセーフ球誘導樋５９が集合樋５８の下方に配設されている。
【００２６】
そして、始動入賞口１７に対応して始動口入賞検出スイッチＳＷ１が配備され、左右ゲート１５，１６にそれぞれ対応してゲート通過を検出するゲート用スイッチＳＷ２，ＳＷ３がそれぞれ配備され、大入賞口５０に対応して大入賞口入賞検出スイッチＳＷ４が配備され、大入賞口５０の内部の特定領域５３への入賞を検出する特定領域通過検出スイッチＳＷ５が配備され、８個払出し口である普通入賞口２１に対応して入賞検出スイッチＳＷ６が配備されると共に、始動入賞口１７を拡開させるための普通電動役物開放ソレノイド６０、開閉扉５１を開放させるための大入賞口開放ソレノイド６１、特定領域５３を閉鎖する扉（図示せず）をパチンコ球が入賞可能となるように開成させるための特定領域扉開放用ソレノイド６２、誘導部材４２，４２を上下動させるための誘導部材駆動用モータＭＴが配備されている。
【００２７】
さらに、セーフ球誘導樋２７の末端には、セーフ球検出スイッチ６３が設けられると共に、セーフ球を１球毎に排出するためのセーフ球排出ソレノイド６４が設けられている。
【００２８】
次に、本実施形態のパチンコ機に配備された制御系統について説明する。図７はメイン制御部の要部ブロック図であり、図８は、メイン制御部におけるランプ及びＬＥＤを制御ための回路のブロック図であり、図９はサブ制御部の要部ブロック図である。なお、図７乃至図９において電源供給のためのラインついては図示を省略する。
【００２９】
メイン制御部６５は、遊技状況に応じて遊技に関する実質的な制御を行うＣＰＵと、ＣＰＵが行う各制御プログラムを格納したＲＯＭと、随時データの読み出し並びに書き込みが可能なＲＡＭとにより構成されている。なお、メイン制御部６５の内部構成については図示を省略する。
【００３０】
メイン制御部６５には、スイッチ検出回路６６、ソレノイド駆動回路６７、ＬＥＤ駆動回路６８、モータ駆動回路６９、ランプ駆動回路７０、ランプ駆動回路７１、ＬＥＤ駆動回路７２、情報出力回路７３及びサブ制御部７４が接続されている。
【００３１】
スイッチ検出回路６６には、始動入賞口１７に入賞したパチンコ球を検出するための始動口入賞検出スイッチＳＷ１、遊技球が左ゲート１５を通過したことを検出するための左ゲート用スイッチＳＷ２、遊技球が右ゲート１６を通過したことを検出するための右ゲート用スイッチＳＷ３、役物ユニット１８の大入賞口５０に入賞したパチンコ球を検出するための大入賞口入賞検出スイッチＳＷ４、大入賞口５０内の特定領域５３に入賞したパチンコ球を検出するための特定領域通過検出スイッチＳＷ５、８個払出口に設定された普通入賞口２１に入賞したパチンコ球を検出するための入賞検出スイッチＳＷ６が接続され、各スイッチＳＷ１〜ＳＷ４の状態が同時にメイン制御部６５に入力されるよう構成されている。
【００３２】
ソレノイド駆動回路６７には、始動入賞口１７を拡開する普通電動役物開放ソレノイド６０と、役物ユニット１８の開閉扉５１を開閉駆動するための大入賞口開放ソレノイド６１と、特定領域５３を閉鎖する扉を開成駆動するための特定領域扉開放用ソレノイド６２とに接続されている。ソレノイド駆動回路６７は、メイン制御部６５からの指令信号に応答して、所定のタイミングでソレノイド６０〜６２を個別に作動させる。
【００３３】
ＬＥＤ駆動回路６８は、メイン制御部６５からの制御信号に従って、普通図柄表示器３４を表示駆動するとともに、普通図柄用の記憶数表示ＬＥＤ３５並びに特別図柄用の記憶数表示ＬＥＤ４１を点灯駆動するための回路である。
【００３４】
モータ駆動回路６９は、誘導部材４２，４２を上下動させるための誘導部材駆動用モータＭＴに接続されている。なお、誘導部材駆動用モータＭＴはステッピングモータで構成されている。モータ駆動回路６９は、メイン制御部６５からの制御信号に従って、誘導部材４２，４２を１分間に１５．３回上下動するよう誘導部材駆動用モータＭＴを回転駆動する。
【００３５】
特別図柄表示装置３０は、図柄表示用ＣＰＵ（図示せず）及びメモリ等（図示せず）を備えるもので、メイン制御部６５から特別図柄表示装置３０への１方向のデータ送信可能に接続され、メイン制御部６５から転送された表示用コマンドデータに応じて表示部４４に左図柄、中図柄、右図柄と動画を表示するものである。
【００３６】
ランプ駆動回路７０には、図１に示す枠飾りランプＡ１、枠飾りランプＡ２及び枠飾りランプＡ３が接続されている。ランプ駆動回路７０は、メイン制御部６５からの制御信号に従って、枠飾りランプＡ１〜Ａ３を点灯制御する。
【００３７】
ランプ駆動回路７１には、図３に示す飾りランプＣ１，Ｄ１，Ｅ１，Ｆ１が接続されている。ランプ駆動回路７１は、メイン制御部６５からの制御信号に従って、飾りランプＣ１，Ｄ１，Ｅ１，Ｆ１を個別に点灯制御する。
【００３８】
ＬＥＤ駆動回路７２には、図３に示す飾りＬＥＤ（Ｑ１），（Ｑ２）と、飾りＬＥＤ（Ｊ１），（Ｋ１），（Ｈ１），（Ｈ２），（Ｈ３）と、飾りＬＥＤ（Ｍ１〜Ｍ８）及び飾りＬＥＤ（Ｎ１〜Ｎ８）が接続されている。ＬＥＤ駆動回路７２は、メイン制御部６５からの制御信号に従って、飾りＬＥＤ（Ｑ１），（Ｑ２）と、飾りＬＥＤ（Ｊ１），（Ｋ１），（Ｈ１），（Ｈ２），（Ｈ３）と、飾りＬＥＤ（Ｍ１〜Ｍ８）及び飾りＬＥＤ（Ｎ１〜Ｎ８）とを個別に点灯制御する。
【００３９】
サブ制御部７４は、主としてパチンコ球の貸し出しと賞品球の払出しに関する制御を行うものである。サブ制御部７４は、パチンコ球の貸し出し並びに賞品球の払い出しに関する実質的な制御を行うＣＰＵと、ＣＰＵが行う各制御プログラムを格納したＲＯＭと、随時データの読み出しならびに書き込みが可能なＲＡＭとにより構成されている。なお、サブ制御部７４の内部構成については図示を省略する。
【００４０】
サブ制御部７４は、メイン制御部６５とデータ転送可能に接続されており、常態においては、メイン制御部６５からサブ制御部７４への一方向のみのデータ転送が行われるが、サブ制御部７４が不正検出した時には、不正検出信号がサブ制御部７４からメイン制御部６５に送られる。また、サブ制御部７４には、ＬＥＤ駆動回路７５、ランプ駆動回路７６、スイッチ検出回路７７、音駆動回路７８、ソレノイド駆動回路７９、情報出力回路７３、賞品球排出装置８０、打球発射装置８１、カードインタフェース８２が接続されている。
【００４１】
メイン制御部６５からサブ制御部７４へ転送されるデータは、パチンコ機の遊技状態に応じた音声出力用データ及びパチンコ球の入賞に応じた賞品球の払い出し個数データである。
【００４２】
ＬＥＤ駆動回路７５は、サブ制御部７４からの指令信号を受けて、図１の払い出しＬＥＤ（Ｐ１）と球切れＬＥＤ（Ｐ２）を点灯制御する。ランプ駆動回路７６は、サブ制御部７４からの指令信号を受けて、鍵飾りランプＢ１を点灯制御する。
【００４３】
スイッチ検出回路７７は、金枠６の開放を検出するための金枠開放検出スイッチ８４、球タンクの球切れを検出するための補給球切れ検出スイッチ８５及びセーフ球を検出するためのセーフ球検出スイッチ６３（図６参照）の検出信号をサブ制御部７４に入力する。
【００４４】
音駆動回路７８は、音声合成回路及び音増幅回路を含み、サブ制御部７４から出力された指令信号に応答して音声データを生成し、音声データを増幅してスピーカ９から効果音として出力する。
【００４５】
賞品球排出装置８０は、サブ制御部７４から出力された払出し制御信号に応答して球貸に応じた個数のパチンコ球の排出と、賞品球の６個払出し、８個払出し、１５個払出しをそれぞれ行う。打球発射装置８１は、サブ制御部７４から出力された駆動信号に応じて作動し、パチンコ球を遊技盤５面に向けて弾発する。なお、打球発射装置８１の作動状態はサブ制御部７４に入力される。
【００４６】
カードインタフェース８２は、図１のカードユニット３及び上受け皿８の前面に設けられた球貸操作部８３と接続され、カードユニット３から送られる金額情報と球貸操作部８３から入力される球貸情報をサブ制御部７４に出力するとともに、サブ制御部７４から送られた球貸完了信号をカードユニット３に出力する。
【００４７】
情報出力回路７３は、メイン制御部６５から出力された情報データ並びにサブ制御部７４から出力された情報データをホストコンピュータであるホールコンピュータ等に対して出力するための回路である。
【００４８】
メイン制御部６５から出力される情報データは、大当り開始から大当り終了までの大当り状態を表わす情報（大当り開始から大当り終了までの間ハイレベル）、大当り開始から大当り終了までの大当り状態及び高確率中を表わす情報（大当り開始から通常確率に戻るまでの期間ハイレベル）、特別図柄の確定を表わす情報（特別図柄の確定停止毎に所定時間の間ハイレベル）、特定領域５３への入賞を表わす情報（特定領域５３への入賞検出毎に所定時間の間ハイレベル）、普通図柄の確定を表わす情報（普通図柄の確定停止毎に所定時間の間ハイレベル）である。
【００４９】
サブ制御部７４から出力される情報データは、球切れ発生を表わす情報（補給球切れ検出スイッチ８５が球切れ状態を検出している期間ハイレベル）、金枠６の不正開放を表わす情報（金枠開放検出スイッチ８４が金枠６の開放状態を検出している期間ハイレベル）、賞品球払出しを表わす情報（賞品球を１０個排出する毎に所定時間の間ハイレベル）、球貸しを表わす情報（球貸操作に対応して行われる賞品球の２５個排出毎に所定時間の間ハイレベル）であり、ホールコンピュータ側からは、打球発射装置８１の作動停止信号が転送されてサブ制御部７４に入力される。
【００５０】
次に、実施形態のパチンコ機１の稼動状態に応じた各種ランプ及びＬＥＤの表示動作ついて説明する。図１０乃至図１５は、パチンコ機１の稼動状態と特別図柄、特別図柄用記憶数表示ＬＥＤ４１、普通図柄表示器３４、普通図柄用記憶数表示ＬＥＤ３５、各種ランプ及び各種ＬＥＤの表示動作との対応関係を示す図である。
【００５１】
パチンコ機１の電源投入時には、特別図柄表示装置３０の左、中、右図柄は、それぞれ「３」，「５」，「７」を表示し、動画表示部４６には電源投入時の所定の絵を表示し、普通図画表示器３４は「０」を表示する。また、記憶数表示ＬＥＤ３５及び４１、枠飾りランプＡ１〜Ａ３、飾りランプＣ１，Ｄ１，Ｅ１，Ｆ１、飾りＬＥＤ（Ｊ１），（Ｋ１），（Ｈ１），（Ｈ２），（Ｈ３）、飾りＬＥＤ（Ｍ１〜Ｍ８）、飾りＬＥＤ（Ｎ１〜Ｎ８）、払出ＬＥＤ（Ｐ１）及び球切れＬＥＤ（Ｐ２）のすべてが消灯している。なお、誘導部材駆動用モータＭＴが回転駆動し、誘導部材４２，４２が１分間に１５．３回上下動する。
【００５２】
遊技者によりカードユニット３のカード挿入口３ａにプリペイドカードを挿入し、球貸操作部８３を操作すると、操作に応じた所定個数のパチンコ球が賞品球排出装置８０から排出されて上受け皿８に貸し出される。そして、遊技者が打球ハンドル１０を回動操作すると、打球発射装置８１が作動してパチンコ球を遊技盤５面に向けて弾発する。打球発射装置８１が作動すると、作動状態がサブ制御部７４により検出され、鍵飾りランプＢ１が点灯する。なお、鍵飾りランプＢ１は、打球発射装置８１が作動中に常に点灯される。
【００５３】
遊技球が左右ゲート１５，１６のいずれかを通過すると、左ゲート用スイッチＳＷ２及び右ゲート用スイッチＳＷ３のいずれかにより遊技球の通過が検出される。なお、左右ゲート１５，１６に入ったパチンコ球は、各々の球出口４０ａ，４０ｂから遊技盤５面に戻る。
【００５４】
パチンコ球の左右ゲート１５，１６への通過が検出されると、普通図柄表示器３４の図柄が変動を開始し、約６．０秒経過すると図柄の変動が停止する。普通図柄表示器３４の図柄変動中に、新たにパチンコ球の左右ゲート１５，１６への通過が検出されると、ゲート通過が最高４個まで記憶されると共に、その記憶数が普通図柄用の記憶数表示ＬＥＤ３５ａ〜３５ｄにより個数点灯表示される。なお、点灯順序は、ＬＥＤ３５ａ、ＬＥＤ３５ｂ、ＬＥＤ３５ｃ、ＬＥＤ３５ｄの順である。
【００５５】
そして、変動を停止した普通図柄が「１」，「３」，「５」，「７」，「９」のいずれかの時、普通電動役物開放ソレノイド６０が作動し、その入賞口（始動入賞口）１７が所定時間の間拡開する。なお、始動入賞口１７の拡開時間は、始動入賞口１７に関わる大当りの抽選確率が通常確率の時は、０．３秒間の拡開を行い、始動入賞口１７に関わる大当りの抽選確率が高確率の時は、１．７秒間の拡開を３回行うが、拡開動作中に始動入賞口１７にパチンコ球が入賞した時点で拡開動作が終了となる。なお、始動入賞口１７に関わる大当りの抽選確率については後述する。
【００５６】
遊技球が始動入賞口１７に入賞すると、始動口入賞検出スイッチＳＷ１によりパチンコ球の始動口入賞が検出される。パチンコ球の始動口入賞が検出されると、特別図柄表示装置３０の図柄が左図柄、右図柄、中図柄の順に変動を開始する。なお、特別図柄の図柄変動中に、新たにパチンコ球の始動入賞口１７への入賞が検出されると、始動口入賞が最高４個まで記憶されると共に、その記憶数が特別図柄用の記憶数表示ＬＥＤ４１ａ〜４１ｄにより個数点灯表示される。なお、点灯順序は、ＬＥＤ４１ａ、ＬＥＤ４１ｂ、ＬＥＤ４１ｃ、ＬＥＤ４１ｄの順である。
【００５７】
なお、特別図柄表示装置３０の図柄の変動表示結果において、大当りを発生させるか否かを事前に決定するためにランダムカウンタＲＮＤ１が用いられている。このランダムカウンタＲＮＤ１の値は、０乃至３３６の範囲で所定のタイミングで１つずつカウントアップされる。そして、始動口入賞の検出時にランダムカウンタＲＮＤ１の値が読み出されて記憶され、図柄の変動開始から左図柄の停止までの期間において所定のタイミングで記憶されたカウンタ値が読み出され、予め定めた大当り用の値と比較されて大当りか否かが判定される。読み出されたカウンタ値が大当りである場合、図柄の変動中に大当りの予告を表示する。
【００５８】
大当りの予告は、予告１〜予告４までの４種類あり、これらのうちの１つを選択するためにランダムカウンタＲＮＤ２が用いられる。このランダムカウンタＲＮＤ２の値は、０乃至３の範囲で所定のタイミングで１つずつカウントアップされる。そして、大当りと判定した時点でのランダムカウンタＲＮＤ２の値により予告の種別が決定される。
【００５９】
特別図柄変動中、大当りの予告の予告１、予告３、予告４が発生しない時は、始動入賞口１７に関わる大当りの抽選確率が通常確率の時（以下、通常確率の時という）であれば、飾りＬＥＤ（Ｋ１）及び飾りランプＣ１と、飾りランプＥ１とが２５１ｍｓの周期で交互に点滅し、飾りＬＥＤ（Ｈ１〜Ｈ３）が２５１ｍｓの周期で、Ｈ１、Ｈ２、Ｈ３、消灯の順序で循環的に点灯する。
【００６０】
また、特別図柄変動中、かつ大当りの予告の予告１、予告３、予告４が発生しない時で、始動入賞口１７に関わる大当りの抽選確率が高確率の時（以下、高確率の時という）には、飾りＬＥＤ（Ｊ１），飾りＬＥＤ（Ｋ１），飾りランプＣ１，飾りランプＦ１，飾りＬＥＤ（Ｑ１），飾りＬＥＤ（Ｑ２）及び枠飾りランプＡ１と、飾りランプＥ１とが２５１ｍｓの周期で交互に点滅し、飾りＬＥＤ（Ｈ１〜Ｈ３）が２５１ｍｓの周期で、Ｈ１、Ｈ２、Ｈ３、消灯の順序で循環的に点灯する。
【００６１】
さらに、特別図柄変動中、大当りの予告の予告１、予告３、予告４が発生する時は、通常確率の時であれば、飾りランプＣ１，飾りランプＤ１，飾りランプＥ１，飾りＬＥＤ（Ｑ１），飾りＬＥＤ（Ｑ２）が、１２６ｍｓの周期で同時に点滅し、飾りＬＥＤ（Ｈ１〜Ｈ３）が２５１ｍｓの周期で、Ｈ１、Ｈ２、Ｈ３、消灯の順序で循環的に点灯する。
【００６２】
また、特別図柄変動中、大当りの予告の予告１、予告３、予告４が発生する時は、高確率の時であれば、通常確率の場合の表示態様に加えて、さらに飾りＬＥＤ（Ｊ１），飾りＬＥＤ（Ｋ１），飾りランプＦ１，枠飾りランプＡ１が２５１ｍｓの周期で同時に点滅する。
【００６３】
特別図柄の図柄変動開始から約５．３秒以上経過すると、左図柄、右図柄、中図柄の順に図柄が停止されて図柄が確定するが、この過程において中図柄の変動停止前、右図柄の確定停止時に、確定停止された左図柄と右図柄が一致すると、リーチ発生となる。
【００６４】
なお、特別図柄表示装置３０の動画表示部４６において、動画表示されるキャラクタの種別や動きの相違（ストーリ展開の相違）により４６種類のリーチパターンが設定されており、この４６種類のリーチパターンを、ランプ並びにＬＥＤの表示と効果音の種類が同じとなるグループ毎に分けてリーチ区分ａ〜リーチ区分ｈの８つに区分してある。
【００６５】
そして、これらのリーチ区分うちの１つを選択するためにランダムカウンタＲＮＤ３が用いられている。このランダムカウンタＲＮＤ３の値は、０乃至７の範囲で所定のタイミングで１つずつカウントアップされる。そして、右図柄の確定停止時にリーチ発生と判定した時点でのランダムカウンタＲＮＤ３の値によりリーチ区分の種別が決定される。
【００６６】
リーチ発生時、リーチパターンがリーチ区分ａである場合、通常確率の時であれば、飾りＬＥＤ（Ｋ１），飾りランプＤ１，飾りＬＥＤ（Ｍ８），飾りＬＥＤ（Ｎ８）と、飾りランプＣ１，飾りランプＥ１，飾りＬＥＤ（Ｍ２〜Ｍ７），飾りＬＥＤ（Ｎ２〜Ｎ７）とが１２６ｍｓの周期で交互に点滅し、飾りランプＱ１及び飾りランプＱ２が２５１ｍｓで同時に点滅する。さらに、飾りＬＥＤ（Ｈ１〜Ｈ３）が２５１ｍｓの周期で、Ｈ１、Ｈ２、Ｈ３、消灯の順序で循環的に点灯する。
【００６７】
リーチ発生時、リーチパターンがリーチ区分ａである場合、高確率の時であれば、飾りＬＥＤ（Ｋ１），飾りランプＤ１，飾りＬＥＤ（Ｍ８），飾りＬＥＤ（Ｎ８）と、飾りランプＣ１，飾りランプＥ１，飾りＬＥＤ（Ｍ２〜Ｍ７），飾りＬＥＤ（Ｎ２〜Ｎ７）とが１２６ｍｓの周期で交互に点滅する。さらに、飾りＬＥＤ（Ｈ１〜Ｈ３）が２５１ｍｓの周期で、Ｈ１、Ｈ２、Ｈ３、消灯の順序で循環的に点灯する。
【００６８】
また、リーチ発生時、リーチパターンがリーチ区分ｂ〜ｈである場合、通常確率の時及び高確率の時のいずれの場合も、飾りＬＥＤ（Ｊ１），飾りＬＥＤ（Ｋ１），飾りランプＤ１，飾りランプＦ１，飾りＬＥＤ（Ｍ８），飾りＬＥＤ（Ｎ８），飾りＬＥＤ（Ｑ１），飾りＬＥＤ（Ｑ２）と、飾りランプＣ１，飾りランプＥ１，飾りＬＥＤ（Ｍ２〜Ｍ７），飾りＬＥＤ（Ｎ２〜Ｎ７）とが１２６ｍｓの周期で交互に点滅する。さらに、飾りＬＥＤ（Ｈ１〜Ｈ３）が２５１ｍｓの周期で、Ｈ１、Ｈ２、Ｈ３、消灯の順序で循環的に点灯する。
【００６９】
確定停止された左，中，右図柄の組み合わせが大当りの組み合わせとなった場合には、すなわち、「１１１」，「２２２」，「３３３」，「４４４」，「５５５」，「６６６」，「７７７」，「８８８」，「９９９」，「ＸＸＸ」，「ＹＹＹ」，「ＺＺＺ」，「１Ｌ１」，「２Ｌ２」，「３Ｌ３」，「４Ｌ４」，「５Ｌ５」，「６Ｌ６」，「７Ｌ７」，「８Ｌ８」，「９Ｌ９」，「ＸＬＸ」，「ＹＬＹ」，「ＺＬＺ」となった場合には、大入賞口５０が約２０秒間に亙って開成される。また、大入賞口５０の開放と同時に特定領域５３の扉が開放する。
【００７０】
大当りが発生すると、大当り動作の終了までの間、通常確率の時、飾りＬＥＤ（Ｊ１），飾りＬＥＤ（Ｋ１），飾りランプＣ１，飾りランプＤ１，飾りランプＦ１，飾りＬＥＤ（Ｍ１），飾りＬＥＤ（Ｍ８），飾りＬＥＤ（Ｎ１），飾りＬＥＤ（Ｎ８），枠飾りランプＡ１，枠飾りランプＡ３と、飾りランプＥ１，飾りＬＥＤ（Ｍ２〜Ｍ７），飾りＬＥＤ（Ｎ２〜Ｎ７），枠飾りランプＡ２とが２５１ｍｓの周期で交互に点滅する。さらに、飾りＬＥＤ（Ｈ１〜Ｈ３）が２５１ｍｓの周期で、Ｈ１、Ｈ２、Ｈ３、消灯の順序で循環的に点灯する。
【００７１】
また、高確率の時には、飾りＬＥＤ（Ｊ１），飾りランプＦ１，飾りＬＥＤ（Ｑ１），飾りＬＥＤ（Ｑ２），枠飾りランプＡ１が２５１ｍｓの周期で同時に点滅する。
【００７２】
また、大入賞口５０の開成中に、遊技球が１０個入賞した場合には、１０個目の入賞をもって大入賞口５０が閉成する。大入賞口５０の開成中に、遊技球が特定領域５３を１個通過した場合には、特定領域５３の扉が閉成し、大入賞口５０が閉成後、再び大入賞口５０が繰り返し開成する。なお、大入賞口５０の繰り返し開成動作は、大当りとなった図柄の組み合わせが、「１１１」，「２２２」，「３３３」，「４４４」，「５５５」，「６６６」，「７７７」，「８８８」，「９９９」，「ＸＸＸ」，「ＹＹＹ」，「ＺＺＺ」の時には、最初の開成を含めて最高１４回であって、大当りとなった図柄の組み合わせが、「１Ｌ１」，「２Ｌ２」，「３Ｌ３」，「４Ｌ４」，「５Ｌ５」，「６Ｌ６」，「７Ｌ７」，「８Ｌ８」，「９Ｌ９」，「ＸＬＸ」，「ＹＬＹ」，「ＺＬＺ」の時には、最初の開成を含めて最高１６回である。
【００７３】
次に、始動入賞口１７に関わる大当りの抽選確率について説明する。大当りとなった図柄の組み合せが、「１１１」，「２２２」，「３３３」，「４４４」，「５５５」，「６６６」，「７７７」，「８８８」，「９９９」，「ＸＸＸ」，「ＹＹＹ」，「ＺＺＺ」のいずれかの特定図柄の組み合せである場合、今回の大当り動作の終了から次回の大当り発生までの間、始動入賞口１７への入賞に関わる大当りの抽選確率が高確率に移行する。また、高確率中に、再び上記の特定図柄で大当り発生となると、新たに大当り動作の終了から次回の大当り発生までの間、始動入賞口１７への入賞に関わる大当りの抽選確率が高確率に移行する。ただし、大当り発生が、上記の高確率を発生させる特定図柄の組み合せで４回連続して大当り発生となると、次回の大当り動作の終了から次回の大当り発生までの間の始動入賞口１７への入賞に関わる大当りの抽選確率が通常確率に戻る。
【００７４】
また、不正行為によって金枠６が開放されると、金枠６の開放が金枠開放検出スイッチ８４により検出され、金枠開放検出スイッチ８４の検出信号がサブ制御部７４に入力される。応じてサブ制御部７４は、メイン制御部６５に不正検出信号を出力する。メイン制御部６５は、不正検出信号に応じて飾りＬＥＤ（Ｑ１）及び飾りＬＥＤ（Ｑ２）を点灯する。なお、始動入賞口１７に関する大当りの抽選確率が高確率である場合には、飾りＬＥＤ（Ｑ１）及び飾りＬＥＤ（Ｑ２）の点灯に加えて、さらに枠飾りランプＡ１，枠飾りランプＡ３と枠飾りランプＡ２とを２５１ｍｓの周期で交互に点滅する。
【００７５】
遊技盤裏面に配備されている球タンク内のパチンコ球が不足すると、補給球切れ検出スイッチ８５により球切れが検出され、検出信号がサブ制御部７４に入力され、球切れＬＥＤ（Ｐ２）が点灯する。さらに、賞品球排出装置８０の作動と同時にサブ制御部７４により排出ＬＥＤ（Ｐ１）が点灯する。
【００７６】
なお、このパチンコ機には少なくとも、特定図柄で大当りの時にリーチフラグカウンタの値によりリーチ動作、大当り予告、アニメーションを設定する大当り設定テーブルと、リーチ動作時にリーチ動作を順次実行させていくためにリーチフラグ２値によりリーチ動作設定テーブルを選択する為のリーチ動作移行用テーブルと、リーチ動作時、リーチ動作の別に応じて必要なデータを設定するリーチ動作設定テーブルと、特別図柄が変動を開始し、図柄の背景色が変化しない時、特別図柄制御番号のデータ値によりランプ、ＬＥＤデータテーブルを選択するランプ、ＬＥＤデータ選択テーブル１と、特別図柄待機中に飾りカウンタのデータ値により飾りバッファ１、飾りバッファ２に設定するランプ、ＬＥＤデータを選択する、ランプ、ＬＥＤデータテーブル１と、特別図柄変動停止時の飾りＬＥＤのセグメントデータを選択するためのセグメントデータ選択テーブルアドレスを格納するコモン選択テーブル１と、普通図柄表示ＬＥＤのコモン出力データ、セグメントデータ作成用の選択データの下位アドレス、セグメントデータテーブルアドレス、テーブル終了判定のチェックデーターを格納するセグメントデータ選択テーブル１と、普通図柄用記憶表示ＬＥＤ、特別図柄用記憶表示ＬＥＤのコモン出力データ、セグメントデータ作成用の選択データの下位アドレス、セグメントデータテーブルアドレス、テーブルの終了判定のチェックデータを格納するセグメントデータ選択テーブル３と、普通図柄用表示データ作成時に選択する為のセグメントデータデータテーブルである普通図柄用表示データテーブルと、外れ時、外れリーチ時で大当り予告をするとき、表示制御フラグ２に設定するデータを格納し、大当たり予告選択カウンタにより大当たり予告動作を選択する大当たり予告選択テーブル１と、外れ時、外れリーチ時に、選択する為のリーチ動作選択テーブルと停止図柄とする図柄バッファのアドレスを格納し、外れ又は外れリーチと判定された時点で判定されたデータによりリーチ動作選択をするテーブルと停止図柄とする図柄バッファのアドレスを選択するリーチ動作選択テーブル選択用テーブルと、大当り図柄を格納しているデータテーブルと大当たり判定時に大当り図柄選択データにより左中右の各停止図柄データを選択する大当り図柄データテーブルと、普通図柄が当り図柄かどうかを判定するためのデータを格納し、普通表示図柄の値とテーブルの値を比較する事により当りかどうかを判定する普通図柄当たり図柄判定テーブルと、普通図柄の当たり判定時に選択する為の停止図桶を格納し、当たり乱数記憶領域に格納されている当たり乱数により昔通図柄の停止図柄を選択する普通図柄停止図柄選択テーブルと、賞球払出制御基板に送信する払出しデータを格納する払出しデータテーブルと、パテンコ球を誘導する誘導装置駆動用モータ制御データを格納し、誘導装置駆動用モータ制御カウンタにより制御データを選択する誘導装置駆動用モータデータテーブル等の複数の各表示制御記憶手段によって、既述の特別図柄表示装置、普通図柄表示器、各ランプ、各ＬＥＤの制御動作設定用のデータ処理の制御設定が行なわれる。
【００７７】
上記複数の表示制御記憶手段等により記憶設定された情報に基づいて、少なくとも、表示図柄の制御に使用する大当り乱数、リーチ乱数、大当り図柄乱教、特別図柄乱数等の乱教作成処理モジュールと、特別図柄乱数に対応した内容の図柄データを設定する図柄格納処理モジュールと、カウント用スイッチ、特定領域用スイッチ、第１種始動口用スイッチ、ゲート用スイッチの動作データを入力するスイッチデータ入カモジュールと、飾りＬＥＤのデータやセグメントデータを取り込み、また、飾リランプ、飾りＬＥＤの駆動データを設定してポートバッファに格納し、あるいは誘導装置駆動用モータや特別図柄確定回数情報、始動口情報、特定領域情報、普通図柄確定回数情報、不正検出情報、大当り情報、確率変動制御用のデータ（情報）、等に関する複数種のポートバッファ格納モジュールと、各ランプ各ＬＥＤの選択や駆動時間に係わるデータを作成するランプＬＥＤデータ作成処理モジュールと、各スイッチに関するデータをポートより入カし、記憶エリアに格納し、スイッチデータの異常を検出するスイッチ入カサブルーチンモジュールと、払出し個数の切り替え、払出し球の演算データ処理等を行なう払出し制御チェックモジュールと、大入賞口入賞数に関して設けられたカウント用スイッチのデータ処理を行うカウント用スイッチモジュールと、不正処理を含めて特定領域用スイッチの動作を処理する特定領域用スイッチモジュールと、主として第１種始動口用スイッチの動作処理を行なう第１種始動口用モジュールと、ゲートの動作、普通図柄作動記憶個数に関する処理を行なうゲート用スイッチモジュールと、普通図柄の初期設定、表示停止、当り判定に関する処理を行なう普通図柄待機、停止判定モジュールと、普通電動役物の開放動作の制御をする普通電動役物開放モジュールと、特別図柄の表示動作待機と停止と判定等を処理する特別図柄待機、停止、判定モジュールと、大入賞口の開放を処理する大入賞口開放モジュールと、大入賞口を特定領域に関するデータと確率変動に関するデータと特別図柄記憶個数に関するデータ等に基づいた大入賞口の休止動作を処理する大入賞口休止モジュールと、不正検出に関して各ランプ各ＬＥＤに関する処理を行なう不正検知処理モジュールと、確率変動処理データ等にもとづいて各ランプ、各ＬＥＤについての処理データーを選択し格納するランプ、ＬＥＤデータ選択格納モジュールと、異常な回路の断線や短絡についての処理を行なう断線短絡異常チェックモジュールと、賞品球の更新処理を行なう賞球カウンタ更新モジュールと、大入賞口ヘの入賞数を演算する大入賞口入賞数更新モジュールと、普通図柄の内容と表示時間処理する普通図柄変動処理制御タイマモジュールと、普通図柄における当り判定を行なう当り判定モジュールと、普通図柄の変動に関する回数データ処理を行なう普通図柄記憶個数更新処理モジュールと、特別図柄の表示動作時問などを制御する特別図柄制御タイマチェックモジュールと、特別図柄により設定する大当り動作の判定と変動を処理する大当り判定、変動モジュールと、特別図柄において出現するリーチの動作種別などを設定するリーチ動作設定モジュールと、特別図柄の初期設定や記憶数の処理を行なう特別図柄記憶個数更新処理モジュールと、大当り動作における初期設定をする大当り時初期設定モジュールと、大入賞口の開放動作に関連する処理を行なう大入賞口開放設定モジュールと、大入賞口の開放回数が１６となった場合に大入賞口休止データを設定して関運する処理を設定する大入賞口休止設定モジュールと、普通図柄変動開始時に初期設定を行なう普通図柄変動開姶時初期化処理モジュ一ルと、確率変動に関するデータやリーチ動作に関するデータに係わって大当り図柄の選択士よりを行なう大当り図柄選択用乱数モジュールと、大当り乱数リーチ乱数データから外れ図柄を選択する外れ図柄選択モジュールと、各種表示制御データに基づいて停止図柄の格納処理を行なう停止図柄格納モジュールと、特別図柄の変動処理を行なう特別表示図柄変動処理モジュールと、特別図柄表示装置で現わされる図柄を設定状態で停止する為の図柄一致チェックモジュールと、左図柄と右図柄の各図柄番号を比較するリーチチェックモジュールと、大当りチェック用のデータにより大当り表示をチェックする大当りチェックモジュールと、特別図柄変動初期化処理を行なう特別図柄変動開始時初期化処理モジュールと、確率の状態を判定処理する確率変動フラグチェックモジュールとをパチンコ機の動作検出結果や状況や遊技判定結果に基いて選択処理し、特別図柄表示装置と、普通図柄表示器と、各飾りＬＥＤと、各飾りランプとを、図１６乃至図３３において表わした各制御手段（モジュール）より駆動制御する構成にある。
【００７８】
なお、当該パチンコ機のゼネラルフローを図３４において示す。
【００７９】
【発明の効果】
請求項１に係るパチンコ機によれば、データ転送可能に接続されたメイン制御部とサブ制御部とが、常態においてはメイン制御部からサブ制御部への一方向のみのデータ転送が行われるので、従来と同様に、サブ制御部側から行われる不正行為を抑制でき、サブ制御部が不正検出した場合には、不正検出信号のみをサブ制御部からメイン制御部に送られるように構成されているので、メイン制御部において不正検出に応じた対応処置を行うことができる。
【００８０】
請求項２に係るパチンコ機によれば、メイン制御部が、不正検出信号に応じて飾りランプ或いは飾りＬＥＤを点灯させるので、メイン制御部において不正検出に応じた飾りランプ或いは飾りＬＥＤを点灯処置により、不正行為による不正発生を報知することができる。
【図面の簡単な説明】
【図１】実施形態のパチンコ機の正面図
【図２】パチンコ機の遊技盤面の正面図
【図３】遊技盤面に配設された各種ランプ及びＬＥＤの配置を示す正面図
【図４】図柄表示ユニットの拡大正面図
【図５】役物ユニットの拡大正面図
【図６】各検出スイッチの配置を示す遊技盤の裏面図
【図７】実施形態のパチンコ機に配備された制御系統のメイン制御部分のブロック図
【図８】実施形態のパチンコ機に配備されたランプ駆動部並びにＬＥＤ駆動部のブロック図
【図９】実施形態のパチンコ機に配備された制御系統のサブ制御部分のブロック図
【図１０】パチンコ機の稼動状態と、特別図柄および特別図柄用記憶数表示ＬＥＤの表示動作との対応関係を示す図
【図１１】パチンコ機の稼動状態と、普通図柄表示器及び普通図柄用記憶数表示ＬＥＤの表示動作との対応関係を示す図
【図１２】パチンコ機の稼動状態と、各種ランプ及び各種ＬＥＤの表示動作との対応関係を示す図
【図１３】パチンコ機の稼動状態と、各種ランプ及び各種ＬＥＤの表示動作との対応関係を示す図
【図１４】パチンコ機の稼動状態と、各種ランプ及び各種ＬＥＤの表示動作との対応関係を示す図
【図１５】パチンコ機の稼動状態と、各種ランプ及び各種ＬＥＤの表示動作との対応関係を示す図
【図１６】実施形態のパチンコ機に搭載されたプログラムのモジュールの一部を示すモジュール構成図
【図１７】実施形態のパチンコ機に搭載されたプログラムのモジュールの一部を示すモジュール構成図
【図１８】実施形態のパチンコ機に搭載されたプログラムのモジュールの一部を示すモジュール構成図
【図１９】実施形態のパチンコ機に搭載されたプログラムのモジュールの一部を示すモジュール構成図
【図２０】実施形態のパチンコ機に搭載されたプログラムのモジュールの一部を示すモジュール構成図
【図２１】実施形態のパチンコ機に搭載されたプログラムのモジュールの一部を示すモジュール構成図
【図２２】実施形態のパチンコ機に搭載されたプログラムのモジュールの一部を示すモジュール構成図
【図２３】実施形態のパチンコ機に搭載されたプログラムのモジュールの一部を示すモジュール構成図
【図２４】実施形態のパチンコ機に搭載されたプログラムのモジュールの一部を示すモジュール構成図
【図２５】実施形態のパチンコ機に搭載されたプログラムのモジュールの一部を示すモジュール構成図
【図２６】実施形態のパチンコ機に搭載されたプログラムのモジュールの一部を示すモジュール構成図
【図２７】実施形態のパチンコ機に搭載されたプログラムのモジュールの一部を示すモジュール構成図
【図２８】実施形態のパチンコ機に搭載されたプログラムのモジュールの一部を示すモジュール構成図
【図２９】実施形態のパチンコ機に搭載されたプログラムのモジュールの一部を示すモジュール構成図
【図３０】実施形態のパチンコ機に搭載されたプログラムのモジュールの一部を示すモジュール構成図
【図３１】実施形態のパチンコ機に搭載されたプログラムのモジュールの一部を示すモジュール構成図
【図３２】実施形態のパチンコ機に搭載されたプログラムのモジュールの一部を示すモジュール構成図
【図３３】実施形態のパチンコ機に搭載されたプログラムのモジュールの一部を示すモジュール構成図
【図３４】実施形態のパチンコ機に搭載されたプログラムのゼネラルフローチャート
【符号の説明】
１  パチンコ機
２  パチンコ機本体
３  カードユニット
４  内枠
５  遊技盤
６  金枠
７  ガラス扉
８  上受け皿
９  下受け皿
１０  打球ハンドル
１１  スピーカ
１２  枠飾り部
１３  鍵飾り部
１４  図柄表示ユニット
１５  左ゲート
１６  右ゲート
１７  始動入賞口
１８  役物ユニット
１９  ランプ付き風車
２０  普通入賞口
２１  普通入賞口
２２  払出表示部
２３  球切れ表示部
２４  アウト口
２５  風車
２６  内レール
２７  外レール
２８  レール飾り部
２９  電動チューリップ
３０  特別図柄表示装置
３１  フレーム
３２  張出部
３３  通過入口
３４  普通図柄表示器
３５  記憶数表示ＬＥＤ（普通図柄用）
３６  装飾部材
３７  装飾部材
３８  装飾部材
３９  凹部
４０  球出口
４１  記憶数表示ＬＥＤ（特別図柄用）
４２  誘導部材
４３  切欠部
４４  表示部
４５  図柄表示部
４６  動画表示部
４７  左図柄表示部
４８  中図柄表示部
４９  右図柄表示部
５０  大入賞口
５１  開閉扉
５２  普通入賞口
５３  特定領域
５４  誘導路
５５  誘導路
５６  誘導路
５７  誘導路
５８  集合樋
５９  セーフ球誘導樋
６０  普通電動役物開放ソレノイド
６１  大入賞口開放ソレノイド
６２  特定領域扉開放ソレノイド
６３  セーフ球検出スイッチ
６４  セーフ球排出ソレノイド
６５  メイン制御部
６６  スイッチ検出回路
６７  ソレノイド駆動回路
６８  ＬＥＤ駆動回路
６９  モータ駆動回路
７０  ランプ駆動回路
７１  ランプ駆動回路
７２  ＬＥＤ駆動回路
７３  情報出力回路
７４  サブ制御部
７５  ＬＥＤ駆動回路
７６  ランプ駆動回路
７７  スイッチ検出回路
７８  音駆動回路
７９  ソレノイド駆動回路
８０  賞品球排出装置
８１  打球発射装置
８２  カードインタフェース
８３  球貸操作部
８４  金枠開放検出スイッチ
８５  補給球切れ検出スイッチ
Ａ１〜Ａ３  枠飾りランプ
Ｂ１  鍵飾りランプ
Ｃ１  飾りランプ
Ｄ１  飾りランプ
Ｅ１  飾りランプ
Ｆ１  飾りランプ
Ｈ１〜Ｈ３  飾りＬＥＤ
Ｊ１  飾りＬＥＤ
Ｋ１  飾りＬＥＤ
Ｍ１〜Ｍ８  飾りＬＥＤ
Ｎ１〜Ｎ８  飾りＬＥＤ
Ｐ１  払出ＬＥＤ
Ｐ２  球切れＬＥＤ
Ｑ１〜Ｑ２  飾りＬＥＤ
ＳＷ１  始動口入賞検出スイッチ
ＳＷ２  左ゲート用スイッチ
ＳＷ３  右ゲート用スイッチ
ＳＷ４  大入賞口入賞検出スイッチ
ＳＷ５  特定領域通過検出スイッチ
ＳＷ６  入賞検出スイッチ
ＭＴ  誘導部材駆動用モータ
【図１】
0003769466.tif 000002
【図２】
0003769466.tif 000003
【図３】
0003769466.tif 000004
【図４】
0003769466.tif 000005
【図５】
0003769466.tif 000006
【図６】
0003769466.tif 000007
【図７】
0003769466.tif 000008
【図８】
0003769466.tif 000009
【図９】
0003769466.tif 000010
【図１０】
0003769466.tif 000011
【図１１】
0003769466.tif 000012
【図１２】
0003769466.tif 000013
【図１３】
0003769466.tif 000014
【図１４】
0003769466.tif 000015
【図１５】
0003769466.tif 000016
【図１６】
0003769466.tif 000017
【図１７】
0003769466.tif 000018
【図１８】
0003769466.tif 000019
【図１９】
0003769466.tif 000020
【図２０】
0003769466.tif 000021
【図２１】
0003769466.tif 000022
【図２２】
0003769466.tif 000023
【図２３】
0003769466.tif 000024
【図２４】
0003769466.tif 000025
【図２５】
0003769466.tif 000026
【図２６】
0003769466.tif 000027
【図２７】
0003769466.tif 000028
【図２８】
0003769466.tif 000029
【図２９】
0003769466.tif 000030
【図３０】
0003769466.tif 000031
【図３１】
0003769466.tif 000032
【図３２】
0003769466.tif 000033
【図３３】
0003769466.tif 000034
【図３４】
0003769466.tif 000035